(57)【要約】  本発明は有／無線ネットワークで構成されたネットワークにおいて，このネットワークを構成するすべての構成要素に対して持続的に収集されたネットワークデータを基礎にして性能低下及び効率低下局所を探して，局所に対して収集されたネットワークデータを分析して性能低下及び効率低下の原因を把握して最適の解決方案をリアルタイムで提供することができるネットワーク性能最適化のための分析装置及びその方法とこの方法を実現させるためのプログラムを記録したコンピュータで読むことができる記録媒体を提供する。
2005513932.tif 000002
【特許請求の範囲】
【請求項１】
ネットワークの性能低下原因をリアルタイムで提供するネットワーク性能最適化のための分析装置において，
ネットワークに関連したデータを収集するためのネットワーク情報収集部と；
前記ネットワーク情報収集部が収集した情報を利用して，コールドロップの原因及びセル最適化を分析する第１分析部と；
前記ネットワーク情報収集部が収集した情報を利用して，所定時間単位ごとにデータの相関分析，動向分析，回帰分析を実行することにより，ネットワークの性能低下原因を分析し，最煩時のデータを利用して動向を分析する第２分析部と；
前記ネットワーク情報収集部が収集した情報を利用して，所定時間単位ごとに，基地局およびセクターの性能及び効率に関する主要業績評価指数を分析する第３分析部と；
前記ネットワーク情報収集部が収集した情報を受信して前記第１分析部，第２分析部及び第３分析部に提供して，前記第１分析部，第２分析部及び第３分析部が分析したデータを受信するメインサーバと；
前記メインサーバからデータを受信して保存する記録媒体と；
前記メインサーバからデータを受信して，受信したデータをオペレータに提供するためのウェブサーバと；
を含むネットワーク性能最適化のための分析装置。
【請求項２】
前記ネットワーク情報収集部は，
ネットワーク運用装置から受信されるデータを収集，分析して，分析したデータを前記メインサーバに伝送するネットワーク管理部と；
前記ネットワークの基地局に関連したデータを収集，分析して，分析したデータを前記メインサーバに伝送する基地局管理部と；
前記ネットワークの無線周波数（ＲＦ）に関するデータを収集，分析して，分析したデータを前記メインサーバに伝送するＲＦ監視部と；
を含むことを特徴とする，請求項１に記載のネットワーク性能最適化のための分析装置。
【請求項３】
前記ネットワーク情報収集部は，
前記ネットワークのフィールドに対するデータを収集，分析して，分析したデータを前記メインサーバに伝送する品質管理部と；
前記ネットワークの基地局から放射される信号の電波減衰に対するデータを収集，分析して，分析したデータを前記メインサーバに伝送するシミュレータと；
をさらに含むことを特徴とする，請求項２に記載のネットワーク性能最適化のための分析装置。
【請求項４】
前記ネットワークに関連したデータは，前記ネットワークの性能，障害，構成及び無線周波数（ＲＦ）に関連したデータを含むことを特徴とする，請求項１，２または３のいずれか１項に記載のネットワーク性能最適化のための分析装置。
【請求項５】
前記主要業績評価指数は，コール接続率，コール完了率及びコールドロップ率を含むことを特徴とする，請求項１に記載のネットワーク性能最適化のための分析装置。
【請求項６】
ネットワークの性能低下原因をリアルタイムで提供するネットワーク性能最適化のための分析方法において，
ネットワーク資源を利用して，前記ネットワークのすべての基地局，セクター，ＨＡ（Ｈｏｍｅ  Ａｇｅｎｔ），ＦＡ（Ｆｏｒｅｉｇｎ  Ａｇｅｎｔ）を含むネットワーク構成要素に関するネットワークデータを持続的に自動収集する第１段階と；
前記収集したネットワークデータに基づいて，性能および効率の完全が必要な局所を自動選定する第２段階と；
前記選定された局所に関するデータを収集する第３段階と；
前記第３段階で収集したデータに対して，ネットワーク最適化を行うことができるように分析を行う第４段階と；
を含むネットワーク性能最適化のための分析方法。
【請求項７】
前記ネットワークのフィールド状態を測定することによって，前記ネットワークの性能及び効率の改善前／後のネットワーク状況を把握して，前記ネットワークの性能及び効率の改善効果を確認及び検証する第５段階をさらに含む請求項６に記載のネットワーク性能最適化のための分析方法。
【請求項８】
前記第４段階は，
主要業績評価指数の低下原因を統計的に分析して，低下原因が発生する回数及びその相関度を収集する段階と；
システムアラーム及びシステム障害が発生した場所，回数及び時間を分析する段階と；
過去所定期間の前記主要業績評価指数の低下原因の動向を分析する段階と；
過去所定期間の前記対象局所における性能データの主要統計動向を分析する段階と；
前記主要業績評価指数低下原因と関連したパラメーターを分析する段階と；
前記対象局所の順／逆方向の問題可否を診断するために前記順／逆方向のリンクを分析する段階と；
を含むことを特徴とする，請求項６または７のいずれか１項に記載のネットワーク性能最適化のための分析方法。
【請求項９】
前記主要業績評価指数は，コール接続率，コール完了率及びコールドロップ率を含むことを特徴とする，請求項８に記載のネットワーク性能最適化のための分析方法。
【請求項１０】
前記順方向／逆方向のリンクを分析する段階では，
順方向リンクの場合に，基地局のオーバーヘッド出力及び最煩時出力，平均順方向電力利得，デジタル利得を含むパラメーターを分析し，
逆方向リンクの場合に，基地局の熱雑音近接電力，最煩時受信電力，セルローディング，周波数再使用効率を含むパラメーターを分析することを特徴とする，請求項８または９のいずれか１項に記載のネットワーク性能最適化のための分析方法。
【請求項１１】
マイクロプロセッサーを備えた分析装置をして，
ネットワーク資源を利用して，前記ネットワークのすべての基地局，セクター，ＨＡ（Ｈｏｍｅ  Ａｇｅｎｔ），ＦＡ（Ｆｏｒｅｉｇｎ  Ａｇｅｎｔ）を含むネットワーク構成要素に関するネットワークデータを持続的に自動収集する第１段階と；
前記収集したネットワークデータに基づいて，性能および効率の完全が必要な局所を自動選定する第２段階と；
前記選定された局所に関するデータを収集する第３段階と；
前記第３段階で収集したデータに対して，ネットワーク最適化を行うことができるように分析を行う第４段階と；
を含み，前記ネットワークの性能低下原因をリアルタイムで提供し，ネットワーク性能を最適化するための分析方法を実行させるプログラム，を記録したコンピュータ読み取り可能な記録媒体。
【発明の詳細な説明】
【技術分野】
【０００１】
本発明はネットワーク性能最適化のための分析装置及びその方法と前記方法を実現させるためのプログラムを記録したコンピュータで読むことができる記録媒体に係り，特に，有線または無線で構成されたネットワークの状態，構成，性能，障害（コール干渉も含む）及び無線周波数（ＲＦ），リピータ要因の情報を監視し，監視している情報に基づきパフォーマンス異常の情報がネットワークを介して伝送されたのか判断し，ネットワークのパフォーマンス異常の原因をつきとめ，このネットワークの問題を解決する多数の解決方法を検証し，リアルタイムに最適な解決方法をネットワークに提供する分析装置及びその方法と，前記方法を実現させるためのプログラムを記録したコンピュータで読むことができる記録媒体に関する。
【背景技術】
【０００２】
近年，移動通信ネットワーク，個人携帯通信ネットワーク，無線データネットワーク，周波数共用通信ネットワーク及び次世代移動通信ネットワーク（例えばＩＭＴ−２０００）等のような様々な通信ネットワークが存在するが，ネットワークの通話品質は移動通信端末機の移動及び基地局の負荷によって変化する。すなわち，特定基地局に加入者が集中すればチャネルの干渉により通話品質が低下して，基地局のサービス半径が減るようになる。これにより基地局境界地点で被呼者と通話していた移動通信端末は，隣接基地局にハンドオフされたり，または被呼者から切断されたりする。このような通話切断をコールドロップといい，通話中または基地局呼び出しというコール接続中に，コールドロップが頻繁に発生することによって，加入者の不満が加重されるようになる。
【０００３】
従来には，特定地域で通話品質低下によるコールドロップ等のような問題が発生すれば，サービス技術者がその地域にネットワーク測定装備を持って行き，移動通信端末の基地局から受信する電力レベルを測定，またはネットワーク測定装備でテストコールを発生させる方法で問題の原因を分析した。
【０００４】
このように従来では，特定地域に問題が発生すればその地域に行き，ネットワークの特性を測定して，測定された結果を分析して問題点を探して解決するので，簡単な問題点を解決するのにも多くの時間が必要という問題点がある。さらに，特定地域のほんのわずかな地点でネットワーク測定装備により測定し，その情報をもって問題解決にあたるので，ネットワーク問題を解決する情報が限られるという問題もある。また，ネットワーク測定装備とその測定装備を使用する人的費用により，ネットワーク運用費用が過多に必要となるという問題点がある。
【０００５】
また，前記のような無線ネットワークの問題点を解決しようとする時，従来のネットワークシステムは，フィールドだけでなくアンテナを含んだ無線（ＲＦ）システム，基地局，制御局及びコアネットワーク（移動交換局及び位置登録機等）などの状態と性能及びパラメーターなどの問題点を同時に把握しなければならないので，ネットワークエンジニアがネットワークを最適化するのが難しいだけでなくまた正確な性能低下の原因を探すのが非常に難しい問題点がある。
【発明の開示】
【発明が解決しようとする課題】
【０００６】
そこで，本発明は，このような問題に鑑みてなされたもので，その目的とするところは，ネットワーク性能最適化のためにネットワークパラメーターを収集して，性能指標をモニタリングし，これを統計的に分析することによってネットワークの性能低下原因をリアルタイムで提供することができるようにするネットワーク性能最適化のための分析装置を提供することにある。
【０００７】
また，本発明の他の目的は，ネットワーク性能最適化のためにネットワークパラメーターを収集して，性能指標をモニタリングし，これを統計的に分析することによってネットワークの性能低下原因をリアルタイムで提供することができるようにするネットワーク性能最適化のための分析方法を提供することにある。
【０００８】
また，本発明のまた他の目的は，ネットワーク性能最適化のためにネットワークパラメーターを収集して，性能指標をモニタリングし，これを統計的に分析することによってネットワークの性能低下原因をリアルタイムで提供することができるようにするネットワーク性能最適化のための分析方法を実現させるためのプログラムを記録したコンピュータ読み取り可能な記録媒体を提供することにある。
【課題を解決するための手段】
【０００９】
上記課題を解決するために，本発明のある観点によれば，ネットワークに対するデータを収集するためのネットワーク情報収集部と；前記ネットワーク情報収集部が収集した情報を利用して，コールドロップの原因及びセル最適化を分析する第１分析部と；前記ネットワーク情報収集部が収集した情報を利用して，所定時間単位ごとにデータの相関分析，動向分析，回帰（ｒｅｇｒｅｓｓｉｏｎ）分析を介してネットワークの性能低下原因を分析し，最煩時（所定期間中で最も通話量が多い時点区間）のデータを利用して動向を分析する第２分析部と；前記ネットワーク情報収集部が収集した情報を利用して，所定時間単位ごとに基地局／セクターの性能及び効率に対する主要業績評価指数を分析する第３分析部と；前記ネットワーク情報収集部が収集した情報を受信して前記第１分析部，第２分析部及び第３分析部に提供して，前記第１分析部，第２分析部及び第３分析部が分析したデータを受信するメインサーバと；前記メインサーバからデータを受信して保存する記録媒体；及び前記メインサーバからデータを受信して，受信したデータをオペレータに提供するためのウェブサーバと；を含むことを特徴とするネットワークの性能低下原因をリアルタイムで提供するネットワーク性能最適化のための分析装置を提供する。
【００１０】
上記問題を解決するために，本発明の別の観点によれば，ネットワーク資源を利用してネットワークのすべての基地局，セクター，ＨＡ（Ｈｏｍｅ  Ａｇｅｎｔ），ＦＡ（Ｆｏｒｅｉｇｎ  Ａｇｅｎｔ）を含むネットワーク構成要素に対するネットワークデータを持続的に自動収集する第１段階と；前記収集したネットワークデータを基に性能低下改善と効率向上が必要な局所を自動選定する第２段階と；前記で選定した局所に対するデータを収集する第３段階；及び前記第３段階で収集したデータに対して，ネットワーク最適化を行うことができるように分析を行う第４段階と；前記ネットワークのフィールド測定を介して性能低下改善及び効率改善前／後の状況を把握して改善効果を確認及び検証する第５段階と；をさらに含むことを特徴とする，ネットワークの性能低下原因をリアルタイムで提供するネットワーク性能最適化のための分析方法を提供する。
【００１１】
上記課題を解決するために，本発明の別の観点によれば，マイクロプロセッサーを備えた分析装置をして，ネットワーク資源を利用して，上記ネットワークのすべての基地局，セクター，ＨＡ（Ｈｏｍｅ  Ａｇｅｎｔ），ＦＡ（Ｆｏｒｅｉｇｎ  Ａｇｅｎｔ）を含むネットワーク構成要素に関するネットワークデータを持続的に自動収集する第１段階と；
上記収集したネットワークデータに基づいて，性能および効率の完全が必要な局所を自動選定する第２段階と；上記選定された局所に関するデータを収集する第３段階と；上記第３段階で収集したデータに対して，ネットワーク最適化を行うことができるように分析を行う第４段階と；を含み，前記ネットワークの性能低下原因をリアルタイムで提供し，ネットワーク性能を最適化するための分析方法を実行させるプログラムを記録したコンピュータ読み取り可能な記録媒体を提供する。
【発明の効果】
【００１２】
上記のような特徴を有する本発明によれば，ネットワーク情報提供部から伝送されるネットワーク構成，状態，障害及びＲＦデータなどを受け取り，受信データの情報を分析，監視してこれをオペレータにリアルタイムで提供することによって，ユーザまたはオペレータは，ネットワークを最適化するための総合的な基本データを受けることができる。
【発明を実施するための最良の形態】
【００１３】
以下に添付図面を参照しながら，本発明の好適な実施の形態について詳細に説明する。なお，同じまたは類似の構成要素については，違う図面においても同じ番号がふられている。以下の記述では，ここで併合された既知の機能及び構成については，本発明の主題を不明確にする場合には省略する。
【００１４】
本実施形態におけるネットワークは有／無線ネットワークを通称することとして使われている。
【００１５】
図１は，本発明の一実施形態によるネットワーク性能最適化のための分析装置を示すブロック図である。
【００１６】
図１に示したように，分析装置は，メインサーバ１００，データベース部１１０，コール失敗原因分析及びセル最適化分析部（１２０；Ｃａｌｌ  Ｆａｉｌ  Ｃａｕｓｅ  Ａｎａｌｙｓｉｓ  ａｎｄ  Ｃｅｌｌ  Ｏｐｔｉｍｉｚａｔｉｏｎ  Ａｎａｌｙｓｉｓ；以下「ＣＦＣＡ＆ＣＯＡ部」と称する），ネットワークデータ統計分析部（１３０；Ｎｅｔｗｏｒｋ  Ｄａｔａ  Ｓｔａｔｉｓｔｉｃｓ  Ａｎａｌｙｓｉｓ；以下「ＮＤＳＡ部」と称する），性能指標監視部（１４０；Ｐｅｒｆｏｒｍａｎｃｅ  Ｉｎｄｉｃａｔｏｒ  Ｍｏｎｉｔｏｒｉｎｇ；以下「ＰＩＭ部」と称する），ウェブサーバ１５０及び複数のオペレータ端末１６０を含む。
【００１７】
また，本発明の分析装置は，ネットワーク管理部（２１０；Ｎｅｔｗｏｒｋ  Ｍａｎａｇｅｍｅｎｔ  Ｓｙｓｔｅｍ（ＮＭＳ）），基地局管理部（２２０；Ｂａｓｅ  Ｓｔａｔｉｏｎ  Ｍａｎａｇｅｍｅｎｔ  Ｓｙｓｔｅｍ（ＢＳＭ）），ＲＦ監視部（２３０；ＲＦ  Ｍｏｎｉｔｏｒｉｎｇ  Ｓｙｓｔｅｍ（ＲＦＭ）），品質管理部（２４０；Ｑｕａｌｉｔｙ  Ｍａｎａｇｅｍｅｎｔ  Ｓｙｓｔｅｍ（ＱＭＳ））及び動／静的シミュレータ部（２５０；Ｄｙｎａｍｉｃ  ａｎｄ  Ｓｔａｔｉｃ  Ｓｉｍｕｌａｔｏｒ）を含んでいる。
上記ネットワーク管理部２１０はネットワークの運用中にセクター，基地局，基地局制御器，交換機，ＨＡ（Ｈｏｍｅ  Ａｇｅｎｔ），ＦＡ（Ｆｏｒｅｉｇｎ  Ａｇｅｎｔ）等（図示せず）の移動通信装備から受信されるネットワークの性能，障害，構成及びＲＦなどに関連した多くのデータを収集し，分析したデータを基にネットワークの異常有無を判断して，これに対するデータを上記メインサーバ１００に伝送する機能を担当する。
【００１８】
上記基地局管理部２２０は，基地局及び基地局制御器（図示せず。）から受信するネットワークの性能，障害，構成及びＲＦなどに関連した多くのデータを収集，分析してネットワークの異常有無を判断して，これに対するデータを上記メインサーバ１００に伝送する機能を担当する。
【００１９】
上記ＲＦ監視部２３０は，基地局ＲＦ送／受信モジュール（図示せず。）で信号の波形とチャネルパワー（Ｃｈａｎｎｅｌ  Ｐｏｗｅｒ），スプリアス波（Ｓｐｕｒｉｏｕｓ  Ｗａｖｅ）などを測定して，上記メインサーバ１００に伝送する機能を担当する。
【００２０】
上記品質管理部２４０は，フィールド測定した多くのデータを収集し，これをデータベース化して上記メインサーバ１００に伝達する機能を担当する。ここで，フィールド測定データは，フィールドエンジニアがフィールドに行き，測定器または測定機を搭載した特殊車両を利用してフィールドの範囲の品質データを測定して作られる。このフィールド測定データは上記品質管理部２４０に伝送されて，データベース化されて保存される。
【００２１】
また，上記動／静的シミュレータ２５０は，地形，地物，トラフィックデータを利用してフィールド（例えば基地局）から放射される信号の電波経路減衰及び干渉量などを予測してこれを表示することができ，またその表示データを保存しておく。また，以外に上記動／静的シミュレータ２５０は時間による加入者の移動及び信号減衰効果，電力制御などを予測してこれを表示して，その表示データも保存しておく。これにより上記メインサーバ１００は，上記動／静的シミュレータ２５０に保存されたシミュレーション結果データを分析し，活用する。
【００２２】
上記ネットワーク管理部２１０，上記基地局管理部２２０，上記ＲＦ監視部２３０，上記品質管理部２４０及び上記動／静的シミュレータ２５０により収集されたパラメーターは，上記メインサーバ１００にリアルタイムで伝送される。
【００２３】
上記メインサーバ１００は，上記ネットワーク管理部２１０，上記基地局管理部２２０，上記ＲＦ監視部２３０，上記品質管理部２４０及び上記動／静的シミュレータ２５０により収集されたパラメーターを受信して，上記データベース部１１０にこれを伝送する。
【００２４】
また，上記メインサーバ１００は，上記で受信したパラメーターを上記ＣＦＣＡ＆ＣＯＡ部１２０，上記ＮＤＳＡ部１３０及び上記ＰＩＭ部１４０に伝送して，再び上記ＣＦＣＡ＆ＣＯＡ部１２０，上記ＮＤＳＡ部１３０及び上記ＰＩＭ部１４０が分析したデータを受信して，上記データベース部１１０にこれを伝送する。
【００２５】
上記データベース部１１０は，上記メインサーバ１００からデータを受信してこれを保存する。
【００２６】
上記ウェブサーバ１５０は，上記分析されたデータを，オペレータが上記オペレータ端末１６０を介してリアルタイムで確認することができるようなサービス環境を提供する。
【００２７】
オペレータは，上記のようなネットワーク性能最適化のための分析方法によって分析されたデータを，上記オペレータ端末１６０を介してリアルタイムで確認することができ，分析された内容によってネットワークの問題点を診断して最適化できる。
【００２８】
上記ＣＦＣＡ＆ＣＯＡ部１２０は，上記メインサーバ１００から受信するデータを分析し，分析データに基づきシステム及び無線リンクを点検してコールドロップ（Ｃａｌｌ  Ｄｒｏｐ）の原因を分析する。さらにハンドオーバー（ｈａｎｄｏｖｅｒ）成功率及びハンドオーバーオーバーヘッド（ｏｖｅｒｈｅａｄ）などを点検してセル（ｃｅｌｌ）最適化機能を分析する。
【００２９】
この場合システム点検は，システムアラーム（ＡＬＭ）要因，システム障害（ＦＬＴ）要因，不接続コール（Ｆ３０００）及びシステムパラメーターなどを分析することによって構築され，無線リンクの点検は，順／逆方向それぞれのＲＦスプリアス波（ｓｐｕｒｉｏｕｓ  ｗａｖｅ）及びＲＦアラーム，トラフィックチャネル，自己セル干渉（Ｏｗｎ  Ｃｅｌｌ  Ｉｎｔｅｒｆｅｒｅｎｃｅ）及び隣接セル干渉（Ｏｔｈｅｒ  Ｃｅｌｌ  Ｉｎｔｅｒｆｅｒｅｎｃｅ）などを分析することによって構築される。
【００３０】
また，上記セル最適化分析時には，基地局のセクター間トラフィック均衡度を把握するためのＱ−ファクター（Ｑ−ｆａｃｔｏｒ），ページング（ｐａｇｉｎｇ）応答率及びトラフィックチャネル要素（Ｔｒａｆｆｉｃ  Ｃｈａｎｎｅｌ  Ｅｌｅｍｅｎｔ；ＴＣＥ）使用率などを分析することによってセル最適化を分析することができる。
【００３１】
上記ＮＤＳＡ部１３０は，所定時間単位（例えば，一時間単位）ごとにデータの相関分析（ｃｏｒｒｅｌａｔｉｏｎ  ａｎａｌｙｓｉｓ）情報，動向分析情報，回帰分析情報を利用してネットワーク性能低下原因を分析する。
【００３２】
上記ＰＩＭ部１４０は，所定時間単位（例えば，１５分単位または１時間単位）ごとに基地局別またはセクター（ｓｅｃｔｏｒ）別性能に対する主要業績評価指数（Ｋｅｙ  Ｐｅｒｆｏｒｍａｎｃｅ  Ｉｎｄｉｃａｔｏｒ；以下「ＫＰＩ」と称する）を監視（ｍｏｎｉｔｏｒｉｎｇ）して，一日のうち最煩時（最も通話量が多い時点区間）のハンドオーバー，Ｑ−ファクター（Ｑ−ｆａｃｔｏｒ）及びページング（ｐａｇｉｎｇ）応答率などの有効なＫＰＩ情報をモニタリング（ｍｏｎｉｔｏｒｉｎｇ）する。
【００３３】
本発明で上記ＫＰＩは，コール接続率，コール完了率及びコールドロップ（Ｃａｌｌ  Ｄｒｏｐ）率を示すようにする。
【００３４】
図２は，本発明の一実施形態による，ネットワーク性能最適化のためのパラメーター収集方法を示すフローチャートである。本実施形態では性能改善及び効率向上が必要なネットワーク上の局所で基地局に限定して説明するが，本発明は基地局に限られることでなく，セクター，ＨＡ（Ｈｏｍｅ  Ａｇｅｎｔ），ＦＡ（Ｆｏｒｅｉｇｎ  Ａｇｅｎｔ），基地局制御器，交換機などのネットワークを構成する構成要素に対して実施できることである。
【００３５】
図２に示したように，本発明のネットワーク性能最適化のための分析方法は，先に，ネットワーク管理部２１０，基地局管理部２２０，ＲＦ監視部２３０，品質管理部２４０及び動／静的シミュレータ２５０から持続的に提供されるネットワークデータを基にして性能改善及び効率向上が必要な基地局を選定する（段階Ｓ２１０）。上記の選定は，例えば基地局別試験回数及び上記ＫＰＩ状態を基準にする。上記ＫＰＩ状態には発／着信コール接続率，コール完了率，及びコールドロップ（Ｃａｌｌ  Ｄｒｏｐ）率などがある。
【００３６】
上記段階Ｓ２１０で基地局を選定すれば，選定された対象基地局に対する情報を収集する（段階Ｓ２２０）。これは最終的にネットワーク性能最適化のための分析時に使われる。収集されるパラメーターとしては，アンテナパラメーター（オリエンテーション（ｏｒｉｅｎｔａｔｉｏｎ），傾斜角（ｔｉｌｔｉｎｇ  ａｎｇｌｅ），アンテナ種類及び高さ，利得（ｇａｉｎ）及び設置建物の高さ等）及びセル位置パラメーター（設置場所の緯／経度，オーバーヘッド電力，チャネル別利得，住所（ａｄｄｒｅｓｓ）及びシステムパラメーター等）などがありうる。
【００３７】
その後，段階Ｓ２４０では，上記で収集したパラメーター及び測定資料を利用して，本発明のネットワーク性能最適化のための分析を行う。
【００３８】
続いて，段階Ｓ２５０では，上記ネットワーク性能最適化のための分析結果により，該基地局に対して性能低下及び効率低下を改善するためにパラメーターを調整する。
【００３９】
その後，段階Ｓ２６０では，フィールドエンジニアによって測定機を利用したフィールド（ｆｉｅｌｄ）測定結果データが品質管理部２４０に伝えられると，その測定データがデータベース化されて保存される。メインサーバ１００で上記保存されたデータを分析に活用することによって，該基地局に対する性能改善及び効率改善前／後の状況が認識できる。そして性能，効率の改善はフィールドの状況を分析することにより点検，検証される。
【００４０】
図３は，本発明の一実施形態による，図２の段階Ｓ２４０でのネットワーク性能最適化のための分析方法を示すフローチャートである。
【００４１】
図３に示したように，段階Ｓ２４１では，性能改善及び効率改善が必要な例えば対象基地局が選定されると，本発明の分析方法では先に，発着信コール接続率，コール完了率，及びコールドロップ率などのＫＰＩ低下原因を統計的に分析して，低下原因が発生する回数及びその相関度を収集する。
【００４２】
そして，段階Ｓ２４２では，システムアラーム（ＡＬＭ），システム障害（ＦＬＴ）が発生した場所，回数及び時間を分析する。
【００４３】
また，段階Ｓ２４３では，過去所定期間の（例えば，過去２０日間）ＫＰＩ低下原因の動向（ｔｒｅｎｄ）を分析する。
【００４４】
また，段階Ｓ２４４では，対象基地局の性能データにおける主要統計動向（ｔｒｅｎｄ）を，所定期間を周期に（例えば，過去６０日）分析する。詳しくは，ＫＰＩ低下を起こした統計項目に対する動向情報，トライアル／コール接続／コール完了／ハンドオーバーに対する動向情報，及びプロセッサー（ｐｒｏｃｅｓｓｏｒ）／リンク／チャネル／ＲＦなどに対する動向情報を分析する。
【００４５】
また，段階Ｓ２４５では，ＫＰＩ低下原因と関係あるパラメーターを分析する。すなわち，ＫＰＩ低下を起こした統計項目に対する不接続コール（Ｆ３０００）メッセージを分析し，またはパラメーターセッティング（ｐａｒａｍｅｔｅｒ  ｓｅｔｔｉｎｇ）値の現況調査を介したエラーを点検することによってネットワークを分析する。
【００４６】
また，段階Ｓ２４６では，対象基地局の順／逆方向問題可否を診断するために順／逆方向リンクを分析する。この時，順方向リンクに対しては例えば基地局のオーバーヘッド出力及び最煩時出力，平均順方向電力利得（Ａｖｅｒａｇｅ  Ｆｏｒｗａｒｄ  Ｐｏｗｅｒ  Ｇａｉｎ），デジタル利得（Ｄｉｇｉｔａｌ  Ｇａｉｎ），ＲＦスプリアス波（ｓｐｕｒｉｏｕｓ  ｗａｖｅ）及びＲＦアラーム，トラフィックチャネル，自己セル干渉（Ｏｗｎ  Ｃｅｌｌ  Ｉｎｔｅｒｆｅｒｅｎｃｅ）及び隣接セル干渉（Ｏｔｈｅｒ  Ｃｅｌｌ  Ｉｎｔｅｒｆｅｒｅｎｃｅ）等のようなパラメーターを分析して，逆方向リンクに対しては基地局の熱雑音近接電力（ｔｈｅｒｈａｌ  ｎｏｉｓｅ  ａｐｐｒｏｘｉｍａｔｅ  ｐｏｗｅｒ），最煩時受信電力，セルローディング（Ｃｅｌｌ  Ｌｏａｄｉｎｇ），周波数再使用効率（Ｆｒｅｑｕｅｎｃｙ  Ｒｅｕｓｅ  Ｅｆｆｉｃｉｅｎｃｙ），最大予測容量，ＲＦスプリアス波，ＲＦアラーム，トラフィックチャネル，自己セル干渉及び隣接セル干渉（Ｏｔｈｅｒ  Ｃｅｌｌ  Ｉｎｔｅｒｆｅｒｅｎｃｅ）等のようなパラメーターを分析することができる。
【００４７】
上述したような本発明の方法は，プログラムで具現されるコンピュータで読むことができる記録媒体（ＣＤROM，RAM，ROM，フロッピー（登録商標）ディスク，ハードディスク，光磁気ディスク等）に保存されることができる。
【００４８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００４９】
【図１】本発明の一実施形態によるネットワーク性能最適化のための分析装置のブロック図である。
【図２】本発明の一実施形態によるネットワーク性能最適化のためのパラメーター収集方法を示すフローチャートである。
【図３】本発明の一実施形態によるネットワーク性能最適化のための分析方法を示すフローチャートである。
【図１】
2005513932.tif 000003
【図２】
2005513932.tif 000004
【図３】
2005513932.tif 000005
【国際調査報告】
2005513932.tif 000006
2005513932.tif 000007